(57)【要約】【課題】  柔軟性向上を図ることが可能な防鼠ケーブルを提供する。【解決手段】  防鼠ケーブル１１は、内部被覆１２と外部被覆１３との間にステンレステープを巻き付けて構成するものであり、ステンレステープを波付け加工を施した波付けステンレステープ１４にする。また、波付けステンレステープ１４を二層巻きする。その一層目をギャップ巻きで巻き付け、二層目を一層目で生じる間隔を埋めるようなギャップ巻きで巻き付ける。波付けステンレステープ１４の波付け方向は、テープ長さ方向に対して直角方向、又は、その直角方向に対して傾く斜め方向にする。【選択図】    図１
2005346996.tif 000002
【特許請求の範囲】
【請求項１】
内部被覆と外部被覆との間にステンレステープを巻き付けて構成される防鼠ケーブルにおいて、
前記ステンレステープを波付け加工を施した波付けステンレステープにするとともに、該波付けステンレステープを二層巻きするものとし、その一層目をギャップ巻きで巻き付け、二層目を前記一層目で生じる間隔を埋めるようなギャップ巻きで巻き付ける
ことを特徴とする防鼠ケーブル。
【請求項２】
請求項１に記載の防鼠ケーブルにおいて、
前記波付けステンレステープの波付け方向を、テープ長さ方向に対して直角方向、又は、該直角方向に対して傾く斜め方向にする
ことを特徴とする防鼠ケーブル。
【発明の詳細な説明】
【技術分野】
【０００１】
本発明は、内部被覆と外部被覆との間にステンレステープを巻き付けて構成される防鼠ケーブルに関する。
【背景技術】
【０００２】
従来の防鼠ケーブルとしては、例えば下記特許文献１に開示されたものが知られている。図３において、下記特許文献１に開示された防鼠ケーブル１は、軟銅線２上にポリエチレン被覆３を施した絶縁線心４を多数本撚り合わせ、その上にポリエステル不織布からなる押さえ巻きテープ５をラップ巻きし、その上にコルゲート加工を施した両面ホットメルト接着剤付きのステンレステープ６を縦添えで巻き付け、その上に保護シース７を押し出し被覆した構成となっている。
【特許文献１】特開平５−７４２３０号公報  （第２頁、第１図）
【発明の開示】
【発明が解決しようとする課題】
【０００３】
ところで、上記従来技術にあっては、コルゲート加工を施したステンレステープ６を用いることから、平滑なステンレステープを用いる場合よりもケーブルの柔軟性が向上するという利点を有している。しかしながら、近年、ケーブルの更なる柔軟性向上が要望されている。
【０００４】
本発明は、上述した事情に鑑みてなされたもので、柔軟性向上を図ることが可能な防鼠ケーブルを提供することを課題とする。
【課題を解決するための手段】
【０００５】
上記課題を解決するためになされた請求項１記載の本発明の防鼠ケーブルは、内部被覆と外部被覆との間にステンレステープを巻き付けて構成される防鼠ケーブルにおいて、前記ステンレステープを波付け加工を施した波付けステンレステープにするとともに、該波付けステンレステープを二層巻きするものとし、その一層目をギャップ巻きで巻き付け、二層目を前記一層目で生じる間隔を埋めるようなギャップ巻きで巻き付けることを特徴としている。
【０００６】
このような特徴を有する本発明によれば、波付けステンレステープをギャップ巻きで二層巻きすると、平滑なステンレステープを縦添えや重ね巻きした場合よりも、また、コルゲート加工を施したステンレステープを縦添えした場合よりもケーブルの柔軟性が向上する。本発明は、ケーブルの耐久性を確保したままでケーブルの柔軟性が向上する構造になる。
【０００７】
請求項２記載の本発明の防鼠ケーブルは、請求項１に記載の防鼠ケーブルにおいて、前記波付けステンレステープの波付け方向を、テープ長さ方向に対して直角方向、又は、該直角方向に対して傾く斜め方向にすることを特徴としている。
【０００８】
このような特徴を有する本発明によれば、テープ長さ方向に対して直角方向、すなわちテープ幅方向に平行な波、又は、そのテープ幅方向に対して傾く方向の波となるように波付け加工が施される。波付けステンレステープは、ギャップ巻きされることから、巻き付け後の波の方向は、ケーブルの長さ方向や径方向に一致しない方向の波になる。
【発明の効果】
【０００９】
請求項１に記載された本発明によれば、柔軟性を向上させた防鼠ケーブルを提供することができるという効果を奏する。
【００１０】
請求項２に記載された本発明によれば、ケーブルの柔軟性を向上させるために必要なテープの伸縮性を確保する波付け加工を施すことができるという効果を奏する。
【発明を実施するための最良の形態】
【００１１】
以下、図面を参照しながら説明する。
図１は本発明の防鼠ケーブルの一実施の形態を示す図であり、（ａ）は構成説明図、（ｂ）は波付けステンレステープの平面図、（ｃ）は波付けステンレステープの断面図である。また、図２は波付けステンレステープの他の例を示す図であり、（ａ）は平面図、（ｂ）は断面図である。
【００１２】
図１において、引用符号１１は本発明の防鼠ケーブルを示している。その防鼠ケーブル１１は、内部被覆１２と外部被覆１３とを有しており、これらの間には、波付けステンレステープ１４が巻き付けられている。内部被覆１２及び外部被覆１３は、本発明の技術分野において通常のものが用いられているものとし、ここでは説明を省略する。また、内部被覆１２で被覆される部材も同様とし、ここでは説明を省略する。
【００１３】
波付けステンレステープ１４は、一般的なテープ幅を有しており、表裏面が凹凸する図示のような波付け加工が施されている。波付けステンレステープ１４は、本形態において、波付け高さｔがｔ＝１．０（ｔ≒１．０）ｍｍ、波付け間隔ｐがｐ＝２．０（ｐ≒２．０）ｍｍ、波付け方向がテープ幅方向（テープ長さ方向に対して直角方向）に平行な波となるように形成されている。
【００１４】
このような波付けステンレステープ１４は、ギャップ巻きで二層巻きされている。その巻き方についてもう少し詳しく説明すると、波付けステンレステープ１４の一層目は、テープ幅の約１／３の間隔（又は約１／２の間隔）を保ってギャップ巻きされている。また、二層目は、一層目のギャップ巻きで生じた間隔を埋めるように、テープ幅の約１／３の間隔（又は約１／２の間隔）を保って同じくギャップ巻きされている。
【００１５】
尚、波付けステンレステープ１４の波付け方向は、図１に示される波付け方向に限らないものとする。すなわち、図２に示される波付けステンレステープ１４′のように、波付け方向がテープ幅方向に対して幾分傾くような方向の波となるように波付け加工を施してもよいものとする。波付け方向に関しては、ケーブル柔軟性を向上させるために必要なテープ伸縮性を確保することが重要であるものとする。
【００１６】
図２の波付けステンレステープ１４′は、図１の波付けステンレステープ１４と同様に、その波付け高さｔがｔ＝１．０（ｔ≒１．０）ｍｍ、波付け間隔ｐがｐ＝２．０（ｐ≒２．０）ｍｍとなるように形成されている。
【００１７】
特に限定するものではないが、本発明においては、ケーブル外径の増加を極力抑えるために、波付け高さｔが１．０ｍｍ程度に設定されている。また、ステンレステープ自体に伸縮性を与えること及び波付け高さｔとのバランスを考慮して、波付け間隔ｐは２．０ｍｍ程度に設定されている。
【００１８】
以上、図１及び図２を参照しながら説明してきたように、本発明の防鼠ケーブル１１は、波付けステンレステープ１４（又は１４′）をギャップ巻きで二層巻きした構造及び構成になる。本発明の防鼠ケーブル１１は、平滑なステンレステープを縦添えや重ね巻きした場合よりも、また、コルゲート加工を施したステンレステープを縦添えした場合よりも、ケーブルの柔軟性を向上させることができる。従って、従来よりも柔軟性を向上させた防鼠ケーブルを提供することができる。本発明の防鼠ケーブル１１は、ケーブルの耐久性を確保したままで従来よりもケーブルの柔軟性を向上させることができる。
【００１９】
その他、本発明は本発明の主旨を変えない範囲で種々変更実施可能なことは勿論である。
【図面の簡単な説明】
【００２０】
【図１】本発明の防鼠ケーブルの一実施の形態を示す図であり、（ａ）は構成説明図、（ｂ）は波付けステンレステープの平面図、（ｃ）は波付けステンレステープの断面図である。
【図２】波付けステンレステープの他の例を示す図であり、（ａ）は平面図、（ｂ）は断面図である。
【図３】従来例の防鼠ケーブルの構成説明図である。
【符号の説明】
【００２１】
１１  防鼠ケーブル
１２  内部被覆
１３  外部被覆
１４  波付けステンレステープ
１４′  波付けステンレステープ
【図１】
2005346996.tif 000003
【図２】
2005346996.tif 000004
【図３】
2005346996.tif 000005